【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
符号化ビデオデータのビットストリームを受信することと、ここにおいて、前記ビットストリームは、少なくともシンタックス要素と、第１のネットワーク抽象化レイヤ単位タイプと、コード化アクセス単位とを備える、ここにおいて、前記コード化アクセス単位は、複数のピクチャを備える、
前記シンタックス要素の値を決定することと、ここにおいて、前記シンタックス要素は、前記コード化アクセス単位がクロスレイヤ配列を使用してコード化されたかどうかの指示を含み、前記シンタックス要素は、前記シンタックス要素を解釈するためにエントロピー復号される必要がないネットワーク抽象化レイヤ（ＮＡＬ）単位中の位置で信号伝達される、
前記シンタックス要素がクロスレイヤ配列を示すと決定したことに応答して、
前記コード化アクセス単位中のピクチャのための前記第１のネットワーク抽象化レイヤ単位タイプを決定すること、
前記第１のネットワーク抽象化レイヤ単位タイプが所定の範囲のタイプ値における値に等しいかどうかを決定すること、及び
前記第１のネットワーク抽象化レイヤ単位タイプが前記所定の範囲のタイプ値における値に等しいと決定したことに応答して、前記第１のネットワーク抽象化レイヤ単位タイプの前記値に等しくなるように前記コード化アクセス単位中の全ての他のピクチャにネットワーク抽象化レイヤ単位タイプを設定すること、とを備える方法。
【請求項２】
前記シンタックス要素がフラグである、請求項１に記載の方法。
【請求項３】
前記シンタックス要素がビデオパラメータセット（ＶＰＳ）、ＶＰＳ拡張、補足拡張情報（ＳＥＩ）メッセージ又はシーケンスパラメータセット（ＳＰＳ）に含まれる、請求項１に記載の方法。
【請求項４】
前記シンタックス要素が固定長コード化される、請求項１に記載の方法。
【請求項５】
前記シンタックス要素が、任意の可変長コード化要素の前の、ネットワーク抽象化レイヤ（ＮＡＬ）単位中に配置され、又は、
前記シンタックス要素が、幾つかの可変長コード化要素の後、及びＶＰＳ拡張要素のセットの先頭で、ネットワーク抽象化レイヤ（ＮＡＬ）単位中に配置され若しくは
前記シンタックス要素が、幾つかの可変長コード化要素の後、但し拡張シンタックス要素の任意の可変長コード化要素の前の、前記拡張シンタックス要素のセット内のネットワーク抽象化レイヤ（ＮＡＬ）単位中に配置される、請求項１に記載の方法。
【請求項６】
前記シンタックス要素がクロスレイヤ配列を示すときにビットストリーム制限が適用され、前記ビットストリーム制限は、前記第１のネットワーク抽象化レイヤ単位タイプが包含的に０から３１までの数を含む範囲内の値を有することと、前記コード化アクセス単位中の各他のピクチャが前記第１のネットワーク抽象化レイヤ単位タイプに等しいネットワーク抽象化レイヤ単位タイプを有することとを備える、又は、
前記シンタックス要素が、クロスレイヤ配列を示すときにビットストリーム制限が適用され、前記ビットストリーム制限が、前記第１のネットワーク抽象化レイヤ単位タイプが包含的に１６から２３までの数を含む範囲内の値を有することと、前記コード化アクセス単位中の各他のピクチャが、前記第１のネットワーク抽象化レイヤ単位タイプに等しいネットワーク抽象化レイヤ単位タイプを有することとを備える、若しくは、
前記シンタックス要素が、クロスレイヤ配列を示すときにビットストリーム制限が適用され、前記ビットストリーム制限が、前記第１のネットワーク抽象化レイヤ単位タイプが包含的に１９から２０までの数を含む範囲内の値を有することと、前記コード化アクセス単位中の各他のピクチャが、前記第１のネットワーク抽象化レイヤ単位タイプに等しいネットワーク抽象化レイヤ単位タイプを有することとを備える、又は、
前記シンタックス要素が、クロスレイヤ配列を示すときにビットストリーム制限が適用され、前記ビットストリーム制限が、前記第１のネットワーク抽象化レイヤ単位タイプが包含的に１６から１８までの数を含む範囲内の値を有することと、前記コード化アクセス単位中の各他のピクチャが前記第１のネットワーク抽象化レイヤ単位タイプに等しいネットワーク抽象化レイヤ単位タイプを有することとを備える、又は、
前記シンタックス要素がクロスレイヤ配列を示すときにビットストリーム制限が適用され、前記ビットストリーム制限が、前記第１のネットワーク抽象化レイヤ単位タイプが２１に等しい値を有することと、前記コード化アクセス単位中の各他のピクチャが前記第１のネットワーク抽象化レイヤ単位タイプに等しいネットワーク抽象化レイヤ単位タイプを有することとを備える、請求項１に記載の方法。
【請求項７】
３つのビットストリーム制限が組み合わせて適用され、前記３つのビットストリーム制限が、
前記第１のネットワーク抽象化レイヤ単位タイプが包含的に０から３１までの数を含む範囲内の値を有することと、前記コード化アクセス単位中の各他のピクチャが前記第１のネットワーク抽象化レイヤ単位タイプに等しいネットワーク抽象化レイヤ単位タイプを有することとを備える第１のビットストリーム制限と、
前記第１のネットワーク抽象化レイヤ単位タイプが、包含的に１６から２３までの数を含む範囲内の値を有することと、前記コード化アクセス単位中の各他のピクチャが、前記第１のネットワーク抽象化レイヤ単位タイプに等しいネットワーク抽象化レイヤ単位タイプを有することとを備える第２のビットストリーム制限と、
前記第１のネットワーク抽象化レイヤ単位タイプが、包含的に１９から２０までの数を含む範囲内の値を有することと、前記コード化アクセス単位中の各他のピクチャが、前記第１のネットワーク抽象化レイヤ単位タイプに等しいネットワーク抽象化レイヤ単位タイプを有することとを備える第３のビットストリーム制限とを備える、請求項１に記載の方法。
【請求項８】
ビデオを処理するための装置であって、
符号化ビデオデータのビットストリームを受信するための手段と、ここにおいて、前記ビットストリームが、少なくともシンタックス要素と、第１のネットワーク抽象化レイヤ単位タイプと、コード化アクセス単位とを備える、ここにおいて、前記コード化アクセス単位は、複数のピクチャを備える、
前記シンタックス要素の値を決定するための手段と、ここにおいて、前記シンタックス要素が、前記コード化アクセス単位がクロスレイヤ配列を使用してコード化されたかどうかの指示を含み、前記シンタックス要素が、前記シンタックス要素を解釈するためにエントロピー復号される必要がないネットワーク抽象化レイヤ（ＮＡＬ）単位中の位置で信号伝達される、
前記シンタックス要素がクロスレイヤ配列を示すと決定したことに応答して、前記コード化アクセス単位中のピクチャのための前記第１のネットワーク抽象化レイヤ単位タイプを決定するための手段と、
前記第１のネットワーク抽象化レイヤ単位タイプが、所定の範囲のタイプ値における値に等しいかどうかを決定するための手段と、
前記第１のネットワーク抽象化レイヤ単位タイプが、前記所定の範囲のタイプ値における値に等しいと決定したことに応答して、前記第１のネットワーク抽象化レイヤ単位タイプの前記値に等しくなるように前記コード化アクセス単位中の全ての他のピクチャにネットワーク抽象化レイヤ単位タイプを設定するための手段とを備える装置。
【請求項９】
前記装置がビデオデコーダ又はメディアアウェアネットワーク要素である、請求項８に記載の装置。
【請求項１０】
実行されると、ビデオデータを処理するための機器の１つ以上のプロセッサに、請求項１−７のいずれか一項の方法を実行させる命令を記憶したコンピュータ可読記憶媒体。
【請求項１１】
ビデオデータを処理する方法であって、
アクセス単位を符号化することと、ここにおいて、前記アクセス単位は、複数のピクチャを備える、
前記アクセス単位がクロスレイヤ配列を使用してコード化されるかどうかを示すためのシンタックス要素を生成することと、ここにおいて、前記シンタックス要素が、前記シンタックス要素を解釈するためにエントロピー復号される必要がないネットワーク抽象化レイヤ（ＮＡＬ）単位中の位置で信号伝達される、
前記アクセス単位中のピクチャのための第１のネットワーク抽象化レイヤ単位タイプを生成することと、
ビットストリームを出力することと、ここにおいて、前記ビットストリームは、少なくとも前記コード化されたアクセス単位と、前記シンタックス要素と、前記第１のネットワーク抽象化レイヤ単位タイプとを備える、を備える方法。
【請求項１２】
ビデオを処理するための装置であって、
アクセス単位を符号化するための手段と、ここにおいて、前記アクセス単位が複数のピクチャを備える、
前記アクセス単位がクロスレイヤ配列を使用してコード化されるかどうかを示すためのシンタックス要素を生成するための手段と、ここにおいて、前記シンタックス要素が、前記シンタックス要素を解釈するためにエントロピー復号される必要がないネットワーク抽象化レイヤ（ＮＡＬ）単位中の位置で信号伝達される、
前記アクセス単位中のピクチャのための第１のネットワーク抽象化レイヤ単位タイプを生成するための手段と、
ビットストリームを出力するための手段と、ここにおいて、前記ビットストリームは、少なくともコード化された前記アクセス単位と、前記シンタックス要素と、前記第１のネットワーク抽象化レイヤ単位タイプとを備える、を備える装置。
【請求項１３】
前記装置がビデオエンコーダ又は後処理ユニットである、請求項１２に記載の装置。
【請求項１４】
実行されると、ビデオデータを処理するための機器の１つ以上のプロセッサに、
アクセス単位を符号化させ、ここにおいて、前記アクセス単位は、複数のピクチャを備える、
前記アクセス単位がクロスレイヤ配列を使用してコード化されるかどうかを示すためのシンタックス要素を生成させ、ここにおいて、前記シンタックス要素は、前記シンタックス要素を解釈するためにエントロピー復号される必要がないネットワーク抽象化レイヤ（ＮＡＬ）単位中の位置で信号伝達される、
前記アクセス単位中のピクチャのための第１のネットワーク抽象化レイヤ単位タイプを生成させ、
ビットストリームを出力させる、ここにおいて、前記ビットストリームは、少なくともコード化された前記アクセス単位と、前記シンタックス要素と、前記第１のネットワーク抽象化レイヤ単位タイプとを備える、命令を記憶したコンピュータ可読記憶媒体。
【請求項１５】
前記ビットストリームは第１のビットストリームであり、前記シンタックス要素は第１のシンタックス要素であり、前記コード化アクセス単位は第１のコード化アクセス単位であり、前記方法が更に
第２のビットストリームを受信することと、前記第２のビットストリームは、少なくとも第２のシンタックス要素、第２のネットワーク抽象化レイヤ単位タイプ、第３のネットワーク抽象化レイヤ単位タイプ、及び第２のコード化アクセス単位を備え、ここにおいて、前記第２のコード化アクセス単位は第２の複数のピクチャを備える、
前記第２のシンタックス要素の値を決定することと、ここにおいて、前記第２のシンタックス要素は、前記コード化アクセス単位がクロスレイヤ配列を使用してコード化されたかどうかの指示を含み、前記シンタックス要素は前記シンタックス要素を解釈するためにエントロピー復号される必要がないネットワーク抽象化レイヤ（ＮＡＬ）単位中の位置で信号伝達される、
前記第２のシンタックス要素がクロスレイヤ配列を示さないことを決定することに応答して、
前記第２のコード化アクセス単位中の第1のピクチャのための前記第２のネットワーク抽象化レイヤ単位タイプを決定すること、及び
前記第２のコード化アクセス単位中の第２のピクチャのための前記第３のネットワーク抽象化レイヤ単位タイプを決定すること、ここにおいて、前記第３のネットワーク抽象化レイヤ単位タイプは、前記第２のネットワーク抽象化レイヤ単位タイプとは異なる、とを備える請求項１に記載の方法。